(57)【要約】【課題】多くのワイヤレスキーが認証機器の近辺に存在する場合、混信により無線通信による認証が遅くなることや認証ができないことがある。また、認証できた場合でも実際に認証機器を使わない人が持つワイヤレスキーと認証してしまい、前記認証機器を使わないが認証したワイヤレスキーを持つ人が認証機器から離れると認証機器が使えなくなる。【解決手段】認証情報送信要求手段１０１により認証情報送信要求が発生した場合（Ｓ４０１）、無線送信データ設定手段１０６は、認証距離情報１０３と認証キー情報１０５から認証距離信号を設定し、無線送信手段１０７から認証距離信号をワイヤレスキー２００へ送信する（Ｓ４０２）。【選択図】図４
2010191552.tif 000002
【特許請求の範囲】
【請求項１】
キーと無線通信を行う無線部と、前記無線部により前記キーから受信する電波の受信強度を検出する検出部と、前記検出部により検出される受信強度が所定値以下となったときや前記無線部が前記キーからの電波を受信できなかったときに機能の一部または全部を使用不可としたり警報を発するセキュリティー部とを備えた認証対象装置であって、前記無線部から前記キーへ送信される電文に、無線通信距離を示す認証距離情報を含めることを特徴とする認証対象装置。
【請求項２】
認証対象装置から送信される電波の受信強度を検出するキー検出部と、
前記キー検出部で検出された電界強度が所定値以上であれば前記認証対象装置から送信された電波を電文として受信するキー無線部とを備え、
前記キー無線部で受信する電文中に前記無線通信距離を示す認証距離情報が含まれている場合に、前記キー無線部が前記認証対象装置から送信された電波を電文として受信する電界強度を、前記認証距離情報が指定する値以上として通信を行うキー。
【請求項３】
請求項１に記載の認証対象装置と、請求項２に記載のキーを含んで構成される無線認証システム。
【発明の詳細な説明】
【技術分野】
【０００１】
本発明は、認証対象装置とキー、無線認証システムに関するものである。
【背景技術】
【０００２】
近年、ワイヤレスキーから受信する電波の受信強度が所定値以上であり、かつその無線通信を利用して送受信する信号を基にワイヤレスキーとの認証に成功したと判定した場合にロックを解除し、ワイヤレスキーから受信する電波の受信強度が所定値未満である場合やワイヤレスキーとの上記認証に失敗したと判定した場合にロックする、無線認証機能を備えた認証対象装置が提案されている（例えば、特許文献１）。実用化されている認証対象装置の一例としては、ワイヤレスキーと無線認証を行ってドア鍵の施錠または解錠を行う自動車、または、ワイヤレスキーと無線認証を行って操作キーによる受付を拒否または許可する携帯電話等が挙げられる。
【特許文献１】特開２００４−１４３８０６号公報
【発明の開示】
【発明が解決しようとする課題】
【０００３】
ところで、認証できる認証対象装置１つを複数の人が同時に使用することはないが共用する場合、複数のワイヤレスキーと無線通信による認証を行うことができ、且つ、その中でも１つのワイヤレスキーを特定して認証するシステムが求められている。
【０００４】
しかしながら、従来の構成ではワイヤレスキーから定期的に無線送信を行い、認証機器はワイヤレスキーから受信する電波の受信強度が所定値以上であれば応答信号を無線送信するため、多くのワイヤレスキーが認証機器の近辺に存在する場合、混信により無線通信による認証が遅くなることや認証ができないことがある。また、認証できた場合でも実際に認証機器を使わない人が持つワイヤレスキーと認証してしまい、前記認証機器を使わないが認証したワイヤレスキーを持つ人が認証機器から離れると認証機器が使えなくなるという課題があった。
【課題を解決するための手段】
【０００５】
前記従来の課題を解決するために、本発明の認証対象装置は、キーと無線通信を行う無線部と、無線部によりキーから受信する電波の受信強度を検出する検出部と、検出部により検出される受信強度が所定値以下となったときに機能の一部を使用不可とする機能制限部とを備え、無線部からキーへ送信される電文に無線通信距離を示す認証距離情報を含めるものである。
【０００６】
これにより、認証の対象となる認証対象装置は、認証対象装置からの電波を受信したキーと認証距離情報に従った無線通信距離内でのみ無線認証通信を行うことができる。
【発明の効果】
【０００７】
本発明の認証対象装置は、キーと無線通信を行う無線部と、無線部によりキーから受信する電波の受信強度を検出する検出部と、検出部により検出される受信強度が所定値以下となったときや無線部がキーからの電波を受信できなかったときに機能の一部または全部を使用不可としたり警報を発するセキュリティー部とを備え、無線部からキーへ送信される電文に無線通信距離を示す認証距離情報を含めるものであるので、キーが必要以上に離れた距離にある認証機器への不要な無線送信を繰り返す必要がなく、認証対象装置はそれぞれの使用環境に応じた無線通信距離内のキーへ認証情報電波を送信すればよいため、通信頻度が下がり、複数台のワイヤレスキーが近辺に存在した場合でも認証対象装置との無
線通信による認証が可能となり、且つ、電池寿命が延びる効果がある。
【０００８】
また、本発明のキーは、認証対象装置から送信される電波の受信強度を検出するキー検出部と、キー検出部で検出された電界強度が所定値以上であれば認証対象装置から送信された電波を電文として受信するキー無線部とを備え、キー無線部で受信する電文中に無線通信距離を示す認証距離情報が含まれている場合にキー無線部が認証対象装置から送信された電波を電文として受信する電界強度を、認証距離情報が指定する無線通信距離に従って通信を行うものであるので、キーが必要以上に離れた距離にある認証機器への不要な無線送信を繰り返す必要がなく、認証対象装置はそれぞれの使用環境に応じた無線通信距離内のキーへ認証情報電波を送信すればよいため、通信頻度が下がり、複数台のワイヤレスキーが近辺に存在した場合でも認証対象装置との無線通信による認証が可能となり、且つ、電池寿命が延びる効果がある。
【０００９】
また、本発明の無線認証システムは、上記認証対象装置と、上記キーを備えて構成される。
【発明を実施するための最良の形態】
【００１０】
第１の発明は、キーと無線通信を行う無線部と、無線部によりキーから受信する電波の受信強度を検出する検出部と、検出部により検出される受信強度が所定値以下となったときや無線部がキーからの電波を受信できなかったときに機能の一部または全部を使用不可としたり警報を発するセキュリティー部とを備え、無線部からキーへ送信される電文に無線通信距離を示す認証距離情報を含めるものであるので、キーが不要な無線送信と受信を繰り返す必要がなく、認証対象装置はそれぞれの使用環境に応じた無線通信距離内のキーへ認証情報電波を送信すればよいため、通信頻度が下がり複数台の認証対象装置との無線通信による認証が可能となり、且つ、電池寿命が延びる効果がある。
【００１１】
第２の発明は、キーに関するもので、認証対象装置から送信される電波の受信強度を検出するキー検出部と、キー検出部で検出された電界強度が所定値以上であれば認証対象装置から送信された電波を電文として受信するキー無線部とを備え、キー無線部で受信する電文中に無線通信距離を示す認証距離情報が含まれている場合にキー無線部が認証対象装置から送信された電波を電文として受信する電界強度を、認証距離情報が指定する無線通信距離に従って通信を行うものであるので、キーが必要以上に離れた距離になる認証機器への不要な無線送信を繰り返す必要がなく、認証対象装置はそれぞれの使用環境に応じた無線通信距離内のキーへ認証情報電波を送信すればよいため、通信頻度が下がり、複数台のワイヤレスキーが近辺に存在した場合でも認証対象装置との無線通信による認証が可能となり、且つ、電池寿命が延びる効果がある。
【００１２】
第３の発明は、無線認証システムに関するもので、上記第１の発明の認証対象装置と、上記第２の発明のキーを備えて構成される。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における無線認証システムの構成図を示すものである。
【００１５】
図１において、無線認証システム１は認証機器１００とワイヤレスキー２００とから構成される。認証機器１００は、携帯電話やパーソナルコンピューターなどの情報機器、情報端末に組み込まれており、必要に応じて認証機器１００から前記情報機器や情報端末を
操作することが可能である。ワイヤレスキー２００は、携帯可能な無線装置であり、使用者が手に持ったり、衣服のポケットに収納できることが望ましい。
【００１６】
認証機器１００とワイヤレスキー２００は特定小電力無線によって互いに通信可能であり、認証機器１００とワイヤレスキー２００は後述する特定の信号を送受信することで認証を行っている。
【００１７】
本実施の形態における認証とは、認証機器１００を中心とする所定範囲内に特定のワイヤレスキー２００が存在しているか否かを判断することを指している。そして、認証の結果、認証機器１００を中心とする所定範囲内に特定のワイヤレスキー２００が存在していないことを認証機器１００が判断した場合は、認証機器１００は、認証機器１００を搭載した情報機器や情報端末を使用停止にしたり、情報機器が提供する一部の機能を使用できないように制限することや警報音を発する。
【００１８】
所定範囲内に存在していることの判定は、所定の強度で無線送信した信号を無線受信した場合に無線送信した機器と無線受信した機器間の距離（無線通信距離と呼ぶ）が短いほど無線受信した信号の強度が大きくなり、距離が長いほど無線受信した信号の強度が小さくなることで検出している。つまり、所定の無線通信距離（例えば１．０ｍ）に対する無線受信した信号強度の値を閾値として設定しておけば、無線受信した信号の強度が前記閾値以上であれば所定範囲（認証距離と呼ぶ）内に存在していると判定できる。
【００１９】
次に、認証機器１００の構成について図２とともに説明する。認証機器１００は、認証情報送信要求手段１０１と、認証距離記憶手段１０２、や認証キー記憶手段１０４、無線送信データ設定手段１０６、無線送信手段１０７、無線受信手段１０８、無線受信情報判定手段１０９、認証周期計測手段１１０、機能制限手段１１１により構成されている。
【００２０】
認証情報送信要求手段１０１は、認証機器１００を組み込んでいる情報機器、情報端末が搭載している機能を予め許可した者だけが使用できるよう認証を必要とする際、無線送信データ設定手段１０６に認証情報の無線送信開始を命令する。
【００２１】
認証距離記憶手段１０２は、認証通信を行うために認証機器１００からワイヤレスキー２００へ送信する所定電文の無線通信距離を表す認証距離情報１０３を記憶している。
【００２２】
認証キー記憶手段１０４は、認証機器１００がワイヤレスキー２００から送信される所定電文を受信したときに、その所定電文がワイヤレスキー２００から送信された電文であることを確認するための認証キー情報１０５を記憶している。
【００２３】
無線送信データ設定手段１０６は、認証情報送信要求手段１０１及び認証周期計測手段１１０からの無線送信開始命令を受け、認証距離情報１０３や認証キー情報１０５を含む認証距離信号を作成する。
【００２４】
無線送信手段１０７は、無線送信データ設定手段１０６で作成された認証距離信号や、後述する認証信号をワイヤレスキー２００側へ送信する。
【００２５】
無線受信手段１０８は、ワイヤレスキー２００から送信される所定信号（本実施の形態では、認証距離信号及び認証信号に対する受信確認の応答信号）を受信する。
【００２６】
無線受信情報判定手段１０９は、無線受信手段１０８で受信した所定信号がワイヤレスキー２００から送信された信号であるか否かを判定する。
【００２７】
認証周期計測手段１１０は、無線受信手段１０８で受信した所定信号がワイヤレスキー２００から送信された信号であると無線受信情報判定手段１０９によって判定できた時点で、認証方法計測を開始する。
【００２８】
機能制限手段１１１は、無線受信手段１０８で受信した所定信号がワイヤレスキー２００から送信された信号であると無線受信情報判定手段１０９によって判定できなかった場合に、認証機器１００を搭載した情報機器や情報端末をロックして使用可能な機能を制限する。
【００２９】
次に、ワイヤレスキー２００の構成について図３とともに説明する。
【００３０】
ワイヤレスキー２００は、無線受信要求手段２０１と無線受信手段２０２、電波強度測定手段２０３、無線受信情報判定手段２０５、認証機器記憶手段２０６、無線送信データ設定手段２０８、無線送信手段２０９、認証周期計測手段２１０により構成されている。
【００３１】
無線受信要求手段２０１は、無線受信手段２０２に対して周期的に無線受信動作を行うための指示信号を発するものである。
【００３２】
無線受信手段２０２は、認証機器１００から送信された所定信号（本実施の形態では、認証距離信号及び認証信号）を受信するものである。
【００３３】
電波強度測定手段２０３は、無線受信手段２０２で受信した所定信号の強度を測定し、強度値が所定値以下であれば所定信号を受信しなかったものとする。
【００３４】
なお、本実施の形態では、上記無線受信要求手段２０１、無線受信手段２０２、電波強度測定手段２０３を併せてキャリアセンス手段２０４と呼ぶことにする。
【００３５】
無線受信情報判定手段２０５は、無線受信手段２０２で受信した所定信号が認証機器１００から送信されたものであるのか否かを、認証機器情報２０７を用いて判定し、電波強度測定手段２０３が測定する受信信号の強度値が所定信号（本実施の形態では、認証距離信号）に含まれる受信強度で示す認証距離情報の値以下であるかを判定し、認証距離情報の値以下であれば所定信号を受信しなかったものとする。
【００３６】
認証機器記憶手段２０６は、無線受信手段２０２で受信した所定信号が認証機器１００から送信されたものであるのか否かを判定するための認証機器情報２０７を記憶しており、具体的には認証機器情報２０７とは認証機器１００の製造番号や、認証機器１００を特定するためのＩＤである。
【００３７】
無線送信データ設定手段２０８は、認証機器記憶手段２０６に記憶されている認証機器情報２０７から所定信号（本実施の形態では、認証距離信号及び認証信号に対する受信確認の応答信号）を作成する。
【００３８】
無線送信手段２０９は、無線送信データ設定手段２０８で作成した無線送信データを認証機器１００へ送信する。
【００３９】
認証周期計測手段２１０は、無線受信情報判定手段２０５により認証機器１００からの無線データで受信した認証距離情報の値以下でないと判断した場合、認証周期計測を開始する。
【００４０】
以上のように構成された無線認証システムについて、以下認証に関する動作を図４と図
５で説明する。
【００４１】
認証情報送信要求手段１０１により認証情報送信要求が発生（例えばスイッチ操作や人感センサーによる人検知）した場合（Ｓ４０１）、無線送信データ設定手段１０６は、認証距離情報１０３（例えば、１．５ｍに対応する受信強度の値）と認証キー情報１０５から認証距離信号を設定する。そして、無線送信手段１０７から認証距離信号をワイヤレスキー２００へ送信する（Ｓ４０２）。認証距離信号は、ワイヤレスキー２００が受信可能な電文長（例えば、ワイヤレスキー２００が１秒毎に電波の有無を確認する動作を行っている場合は１．３秒）の無線電波で送信する。
【００４２】
一方、ワイヤレスキー２００の無線受信要求手段２０１は定期的（例えば、１秒毎）に無線受信手段２０２に無線受信動作を行うように指示し（Ｓ５０１）、無線受信手段２０２が認証機器１００からの認証距離信号を受信したとき（Ｓ５０２）、電波強度測定手段２０３は受信した認証距離信号の強度を測定し（Ｓ５０３）、強度が所定値を上回っていれば、認証距離信号を無線受信情報判定手段２０５に伝送する。
【００４３】
無線受信情報判定手段２０５は、無線受信手段２０２で受信した認証距離信号が認証機器１００から送信されたものであるのか否かを、認証機器情報２０７を用いて判定する（Ｓ５０４）。そして、無線受信情報判定手段２０５により無線受信したデータが認証機器記憶手段２０６に記憶している認証機器情報２０７から認証機器１００からの認証距離情報であった（例えば、所定の認証距離コードと認証機器情報を暗号化（ＡＥＳなど）した情報と無線受信データが一致）と判断し（Ｓ５０５）、電波強度測定手段２０３で測定した受信した認証距離信号の強度が認証距離信号に含まれる受信強度で示す認証距離情報の値を上回っており認証距離以内から送信されている電波であると判断した場合（Ｓ５０６）、無線送信データ設定手段２０８により認証距離応答信号を設定し、無線送信手段２０９により認証距離応答信号を無線電波で送信する（Ｓ５０７）。
【００４４】
Ｓ５０７において認証距離応答電波を送信後、認証周期計測手段２１０により無線認証通信を定期的に行う周期（例えば、１０秒周期）の計測を開始する（Ｓ５０８）。
【００４５】
一方、認証機器１００は、認証距離信号を無線送信手段１０７からワイヤレスキー２００へ送信してから所定時間内（例えば、０．５秒以内）に無線受信手段１０８で無線受信したデータが、認証キー記憶手段１０４に記憶している認証キー情報１０５から無線受信情報判定手段１０９によりワイヤレスキー２００からの認証距離応答信号であった（例えば、所定の認証距離応答信号コードと認証キー情報を暗号化（ＡＥＳなど）した情報と無線受信データが一致）と判断できた場合（Ｓ４０３）、認証周期計測手段１１０により定期的に無線認証通信を行う周期（例えば、１０秒周期）の計測を開始する（Ｓ４０４）。
【００４６】
そして、認証周期計測手段１１０により認証周期経過（例えば、周期１０秒経過）と判断した場合（Ｓ４０５）、無線送信データ設定手段１０６により認証キー記憶手段１０４に記憶している認証キー情報１０５から認証信号を設定し、ワイヤレスキー２００へ無線送信手段１０７から認証信号を無線電波で送信する（Ｓ４０６）。
【００４７】
ここで、ワイヤレスキー２００は、認証周期計測手段２１０により認証周期経過（例えば、周期１０秒経過）と判断した場合（Ｓ５０９）、認証周期経過から所定時間内（例えば、０．８秒以内）に無線受信手段２０２で無線受信した認証信号が電波強度測定手段２０３で測定した強度が認証距離信号に含まれていた受信強度で示す認証距離情報の値を上回っており認証距離以内から送信されている電波であると判断し、無線受信情報判定手段２０５により認証機器記憶手段２０６に記憶している認証機器情報２０７により認証機器１００からの認証情報電波であったと判断できた場合（Ｓ５１０）、無線送信手段２０９
により認証応答信号を送信する（Ｓ５１１）。
【００４８】
Ｓ５１０で、認証周期経過から所定時間内（例えば、０．８秒以内）に無線受信手段２０２で無線受信した認証信号が電波強度測定手段２０３で測定した強度が認証距離信号に含まれていた受信強度で示す認証距離情報の値を上回っていると判断できなかった場合と無線受信情報判定手段２０５により認証機器記憶手段２０６に記憶している認証機器情報２０７により認証機器１００からの認証情報電波であったと判断できなかった場合、キャリアセンス手段２０４により定期的（例えば、１秒毎）に近距離から送信された強い電波の有無を判断する動作に戻る（Ｓ５１２）。
【００４９】
認証機器１００は、認証信号を無線送信手段１０７からワイヤレスキー２００へ送信してから所定時間内（例えば、０．５秒以内）に無線受信手段１０８で無線受信した認証応答信号が無線受信情報判定手段１０９により認証キー記憶手段１０４に記憶している認証キー情報１０５からワイヤレスキー２００からの認証応答電波であった（例えば、所定の認証応答データコードと認証キー情報を暗号化（ＡＥＳなど）した情報と無線受信データが一致）と判断できた場合（Ｓ４０７）、機能制限手段１１１により認証機器１００を搭載した電子機器のロックを解除して使用可能な機能を制限しないようにし（Ｓ４０８）、認証周期計測手段１１０による次回の認証周期経過を待つ（Ｓ４０９）。
【００５０】
認証信号を無線送信手段１０７からワイヤレスキー２００へ無線電波での送信を終了後から所定時間内（例えば、０．５秒以内）に無線受信手段１０８で無線受信した認証応答信号が無線受信情報判定手段１０９によりワイヤレスキー２００からの認証応答電波であったと判断できなかった場合、機能制限手段１１１により認証機器１００を搭載した電子機器をロックして使用可能な機能を制限し（Ｓ４１０）、認証情報送信要求手段１０１による認証情報送信要求の発生（例えばスイッチ操作や人感センサーによる人検知）を待つ動作に戻る（Ｓ４１１）。
【００５１】
次に、図６を用いて認証機器１００とワイヤレスキー２００の送受信タイミングについて説明する。上記Ｓ５０１からＳ５０３に示すように、ワイヤレスキー２００は定期的（Ｔ１）にキャリアセンスを行なっている。そこで、認証機器１００の認証情報送信要求手段１０１により認証情報送信要求が発生（図６では認証機器Ａのスイッチ操作）した場合（Ｓ４０１）、認証距離信号を送信する（Ｓ４０２）。
【００５２】
ワイヤレスキー２００は、キャリアセンスによって認証距離信号を受信すると、判定処理（Ｓ５０４〜Ｓ５０６）を行ない、認証距離応答信号を送信する（Ｓ５０７）。
【００５３】
認証機器１００は、認証距離応答信号を受信し、所定の処理（Ｓ４０３）を行なうと、認証周期計測手段１１０により認証周期時間の計測を開始する（Ｓ４０４）。
【００５４】
Ｓ４０４による計測開始からＴ２後、認証機器１００はワイヤレスキー２００に認証信号を送信する（Ｓ４０６）。そして、ワイヤレスキー２００は認証信号を受信する（Ｓ５１０）と、認証応答信号を送信する（Ｓ５１１）。このような認証信号と認証応答信号のやり取りはＴ２毎に周期的に行なわれる。
【００５５】
次に、図７のように、ワイヤレスキーＡを携帯する者が認証機器１００の使用者であり認証機器Ａを操作しているが、認証機器Ａの近辺にワイヤレスキーＢを携帯する者が居る環境下での処理動作について説明する。
【００５６】
図８は、ワイヤレスキーＡを携帯する者が認証機器１００を使用しており、ワイヤレスキーＢを携帯する者よりも認証機器Ａの近くに居る場合での認証機器１００とワイヤレス
キーＡとワイヤレスキーＢの送受信タイミングを示すものである。
【００５７】
図８の通り、ワイヤレスキーＡを携帯する者が認証機器１００を使用するために認証機器１００のスイッチを操作すると認証機器１００は認証距離信号を送信する。
【００５８】
ワイヤレスキーＡとワイヤレスキーＢはＴ１の周期でキャリアセンスを行っており、認証機器１００の近距離（例えば３ｍ以内）に居るために認証距離信号を受信する。
【００５９】
この認証距離信号には、認証距離情報（図８では認証距離１．０ｍ）と認証キー情報が含まれている。
【００６０】
認証距離信号を受信したワイヤレスキーＡは、図５で説明した処理に基づいて、判定処理（Ｓ５０４〜Ｓ５０６）を行ない、認証距離以内（図８では０．５ｍ）に居るために認証距離応答信号を送信する（Ｓ５０７）。
【００６１】
一方、認証距離信号を受信したワイヤレスキーＢは、図５で説明した処理に基づいて、判定処理（Ｓ５０４〜Ｓ５０６）を行ない、認証距離よりも離れている（図８では２．０ｍ）ために認証距離応答信号は送信しないで、Ｔ１の周期でのキャリアセンスを継続して行う。
【００６２】
認証機器１００は、認証距離応答信号を受信し、所定の処理（Ｓ４０３）を行なうと、認証周期計測手段１１０により認証周期時間の計測を開始する（Ｓ４０４）。
【００６３】
Ｓ４０４による計測開始からＴ２後、認証機器１００はワイヤレスキーＡに認証信号を送信する（Ｓ４０６）。
【００６４】
そして、ワイヤレスキーＡは認証信号を受信する（Ｓ５１０）と、認証応答信号を送信する（Ｓ５１１）。このような認証信号と認証応答信号のやり取りはＴ２毎に周期的に行なわれる。
【００６５】
以上のように、本実施の形態においては認証機器１００が認証距離情報１０３をワイヤレスキー２００へ無線送信し、ワイヤレスキー２００は受信強度測定手段２０３により無線受信した受信強度で示す認証距離情報の値以上の受信電波強度がある場合のみ認証距離応答信号を認証機器１００へ送信する構成とすることにより、認証機器１００を搭載した電子機器の使用環境に応じた認証距離でワイヤレスキー２００は認証無線通信ができ、認証機器１００を搭載した１つの電子機器の近辺に複数のワイヤレスキー２００が存在する場合でも、使用者であると特定できる距離に居る１つのワイヤレスキーとの間でのみ認証無線通信を行うことができる。
【００６６】
例えば、携帯電話がワイヤレスキーになっている場合は家族みんなが持っていて認証機器であるパソコンを家族で共有しているような場合、リビングに家族が集まっている場合に全てのワイヤレスキーが応答を返すと認証できないが、認証機器であるパソコンから手の届く範囲に認証距離を設定して認証距離信号の認証距離情報としてワイヤレスキーへ無線送信すれば、使用者であると判断できる距離に存在する特定のワイヤレスキーのみ認証距離応答を返すので本当に使いたい人だけと認証が出来る。
【００６７】
また、本当に使いたい人以外のキーと認証してしまい、認証してしまったキーを持つ人が居なくなると使えなくなることもなく使い勝手が悪くなることがない。
【００６８】
なお、認証機器が使用環境で認証距離を変更する方法は、認証機器がパソコンであれば
パソコン内のソフトウェアで使用者が認証距離を入力して変更してもよいし、認証距離応答が混信して受信できないような場合に認証距離を徐々に狭めるように自動的に変更してもよい。
【００６９】
また、本実施の形態では認証距離情報を受信強度の値として説明したが、認証距離を表す値であってもよい。この場合、ワイヤレスキー２００には、電波強度測定手段２０３が測定する受信信号の強度値を基に無線通信距離を演算する距離演算手段も設ける。そして、無線受信情報判定手段２０５は、距離演算手段により演算された無線通信距離と認証距離情報の値を比較判定することで、上記実施の形態と同様の効果が得られる。
【００７０】
また、実施の形態１で説明した手段は、ＣＰＵ、ＲＡＭ、ＲＯＭ、記憶・記録装置、Ｉ／Ｏなどを有する電気・情報機器、コンピュータ、サーバ等のハードリソースを協働させるプログラムの形態で実施してもよい。プログラムであれば、磁気メディアや光メディアなどの記録媒体に記録する、またインターネットなどの通信回線を用いて配信することでプログラムの配布・更新やそのインストール作業が簡単にできる。
【産業上の利用可能性】
【００７１】
以上のように、本発明にかかる無線認証システムは、ワイヤレスキーが必要以上に離れた距離にある認証機器への不要な無線送信を繰り返す必要がなく、認証対象装置はそれぞれの使用環境に応じた無線通信距離内のキーへ認証情報電波を送信すればよいため、通信頻度が下がり、複数台のワイヤレスキーが近辺に存在した場合でも認証対象装置と特定のワイヤレスキーとの無線通信による認証が可能であり、ドア、ゲート、ロッカー、金庫、車、バイク、自転車、携帯電話、パソコン等  複数の電子機器に適用することができる。
【図面の簡単な説明】
【００７２】
【図１】本実施の形態１の無線認証システム構成図
【図２】本実施の形態１の認証機器の構成図
【図３】本実施の形態１のワイヤレスキーの構成図
【図４】本実施の形態１の認証機器の制御フロー図
【図５】本実施の形態１のワイヤレスキーの制御フロー図
【図６】本実施の形態１の認証機器とワイヤレスキーとの送受信タイミング図
【図７】本実施の形態１の状態説明図
【図８】本実施の形態１の認証機器とワイヤレスキーとの送受信タイミング図
【符号の説明】
【００７３】
１００  認証機器
１０１  認証情報送信要求手段
１０２  認証距離記憶手段
１０３  認証距離情報
１０４  認証キー記憶手段
１０５  認証キー情報
１０６  無線送信データ設定手段
１０７  無線送信手段
１０８  無線受信手段
１０９  無線受信情報判定手段
１１０  認証周期計測手段
１１１  機能制限手段
２００  ワイヤレスキー
２０１  無線受信要求手段
２０２  無線受信手段
２０３  電波強度測定手段
２０４  キャリアセンス手段
２０５  無線受信情報判定手段
２０６  認証機器記憶手段
２０７  認証機器情報
２０８  無線送信データ設定手段
２０９  無線送信手段
２１０  認証周期計測手段
【図１】
2010191552.tif 000003
【図２】
2010191552.tif 000004
【図３】
2010191552.tif 000005
【図４】
2010191552.tif 000006
【図５】
2010191552.tif 000007
【図６】
2010191552.tif 000008
【図７】
2010191552.tif 000009
【図８】
2010191552.tif 000010